(57)【要約】【課題】下り割当制御情報を効率良く伝送すること。【解決手段】設定部１０１は、第１サーチスペース設定ルールに基づいて第１サーチスペースを設定し、又は、第２サーチスペース設定ルールに基づいて第２サーチスペースを設定する。各復号領域候補は１つのCCE又は連結された複数のCCEによって構成され、第１サーチスペース設定ルールにおけるCCE連結数（aggregation level）と復号領域候補数との対応関係は、第２サーチスペース設定ルールにおけるCCE連結数と復号領域候補数との対応関係とは異なり、第１サーチスペース設定ルールにおいて一つのCCEを構成するRE数は、第２サーチスペース設定ルールにおいて一つのCCEを構成するRE数よりも小さく、第１サーチスペース設定ルールにおける復号領域候補数に対する連結数の加重平均値は、第２サーチスペース設定ルールにおける復号領域候補数に対する連結数の加重平均値より大きい。【選択図】図１１
2015149748.tif 000002
【特許請求の範囲】
【請求項１】
第１のサーチスペース設定ルールに基づいて第１のサーチスペースを設定し、又は、第２のサーチスペース設定ルールに基づいて第２のサーチスペースを設定する設定部と、
前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きい、マッピング部と、
前記マッピングされた下り制御情報を含む信号を送信する送信部と、
を具備する通信装置。
【請求項２】
前記設定部は、下り制御チャネル（PDCCH）とは異なる拡張された下り制御チャネルを用いて、前記第１のサーチスペース又は前記第２のサーチスペースを設定する、
請求項１に記載の通信装置。
【請求項３】
前記第１のサーチスペース及び前記第２のサーチスペースは、端末装置に固有の個別サーチスペースである、
請求項１又は２に記載の通信装置。
【請求項４】
前記送信部は、前記第１のサーチスペース又は前記第２のサーチスペースが設定されたサブフレームを示す上位レイヤのシグナリング情報をさらに送信する、
請求項１から３のいずれか一項に記載の通信装置。
【請求項５】
前記第１のサーチスペース設定ルール及び前記第２のサーチスペース設定ルールの各々において、前記CCEの連結数と復号領域候補数との対応関係が複数セット用意されている、
請求項１から４のいずれか一項に記載の通信装置。
【請求項６】
通信装置における送信方法であって、
第１のサーチスペース設定ルールに基づいて第１のサーチスペースを設定し、又は、第２のサーチスペース設定ルールに基づいて第２のサーチスペースを設定し、
前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きく、
前記マッピングされた下り制御情報を含む信号を送信する、
送信方法。
【請求項７】
前記第１のサーチスペース又は前記第２のサーチスペースの設定は、下り制御チャネル（PDCCH）とは異なる拡張された下り制御チャネルを用いて行われる、
請求項６に記載の送信方法。
【請求項８】
前記第１のサーチスペース及び前記第２のサーチスペースは、端末装置に固有の個別サーチスペースである、
請求項６又は７に記載の送信方法。
【請求項９】
前記第１のサーチスペース又は前記第２のサーチスペースが設定されたサブフレームを示す上位レイヤのシグナリング情報をさらに送信する、
請求項６から８のいずれか一項に記載の送信方法。
【請求項１０】
前記第１のサーチスペース設定ルール及び前記第２のサーチスペース設定ルールの各々において、前記CCEの連結数と復号領域候補数との対応関係が複数セット用意されている、
請求項６から９のいずれか一項に記載の送信方法。
【請求項１１】
第１のサーチスペース設定ルールに基づいて第１のサーチスペースを設定し、又は、第２のサーチスペース設定ルールに基づいて第２のサーチスペースを設定する処理と、
前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きい、処理と、
前記マッピングされた下り制御情報を含む信号を送信する処理と、
を制御する集積回路。
【発明の詳細な説明】
【技術分野】
【０００１】
本発明は、通信装置、送信方法及び集積回路に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。
【０００３】
ＬＴＥでは、無線通信基地局装置（以下、「基地局」と省略する）はシステム帯域内のリソースブロック（Resource Block：ＲＢ）を、サブフレームと呼ばれる時間単位毎に無線通信端末装置（以下、「端末」と省略する）に割り当てることにより通信を行う。また、基地局は下り回線データおよび上り回線データのリソース割当結果を通知するための割当制御情報（Ｌ１／Ｌ２制御情報）を端末へ送信する。この割当制御情報は例えばＰＤＣＣＨ（Physical Downlink Control Channel）等の下り回線制御チャネルを用いて端末へ送信される。ここで、ＰＤＣＣＨをマッピングするリソース領域は規定されており、図１に示すように、周波数軸方向では、システム帯域幅全体にわたり、時間軸方向では１サブフレームの先頭１ＯＦＤＭシンボルから３ＯＦＤＭシンボルまでの間で可変である。時間軸方向にどのＯＦＤＭシンボルまでＰＤＣＣＨが占めるかを示す信号がＰＣＦＩＣＨ（Physical Control Format Indicator Channel）によって通知される。
【０００４】
また、各ＰＤＣＣＨは１つまたは連続する複数のＣＣＥ（Control Channel Element）で構成されるリソースを占有する。ＰＤＣＣＨでは、１個のＣＣＥが３６個のＲＥ（Resource Element）で構成される。ＬＴＥでは、ＰＤＣＣＨが占有するＣＣＥ数（ＣＣＥ連結数：CCE aggregation levelまたはAggregation level）としては、割当制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。
【０００５】
また、基地局から送信される割当制御情報はＤＣＩ（Downlink Control Information）と呼ばれる。基地局は１サブフレームに複数の端末を割り当てる場合、複数のＤＣＩを同時に送信する。このとき、基地局は、各ＤＣＩの送信先の端末を識別するために、送信先の端末ＩＤでマスキング（または、スクランブリング）したＣＲＣビットをＤＣＩに含めて送信する。そして、端末は、自端末宛ての可能性がある複数のＤＣＩにおいて、自端末の端末ＩＤでＣＲＣビットをデマスキング（または、デスクランブリング）することによりＰＤＣＣＨをブラインド復号（ブラインドデコーディング、Blind decoding）して自端末宛のＤＣＩを検出する。
【０００６】
また、ＤＣＩには、基地局が端末に対して割り当てたリソースの情報（リソース割当情報）およびＭＣＳ（Modulation and channel Coding Scheme）等が含まれる。また、ＤＣＩには、上り回線用、下り回線ＭＩＭＯ（Multiple Input Multiple Output）送信用、下り回線非連続帯域割当用等の複数のフォーマットがある。端末は、複数のフォーマットを有する、下り割当制御情報（下り回線に関する割当制御情報）および上り割当制御情報（上り回線に関する割当制御情報）の両方を受信する必要がある。
【０００７】
例えば、下り割当制御情報には、基地局の送信アンテナ制御方法およびリソース割当方法等により複数のサイズのフォーマットが定義される。その複数のフォーマットのうち、連続帯域割当を行う下り割当制御情報フォーマット（以下、単に「下り割当制御情報」という）と、連続帯域割当を行う上り割当制御情報フォーマット（以下、単に「上り割当制御情報」という）とは同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、下り割当制御情報を示すＤＣＩのサイズと、上り割当制御情報を示すＤＣＩのサイズとが同一であっても、割当制御情報に含まれる種別情報を確認することにより、下り割当制御情報または上り割当制御情報のいずれであるかを特定することができる。
【０００８】
なお、連続帯域割当を行う上り割当制御情報が送信される際のＤＣＩフォーマットは、ＤＣＩ  ｆｏｒｍａｔ０（以下、ＤＣＩ  ０という）と呼ばれ、連続帯域割当を行う下り割当制御情報が送信される際のＤＣＩフォーマットは、ＤＣＩ  ｆｏｒｍａｔ１Ａ（以下、ＤＣＩ  １Ａという）と呼ばれる。なお、上述したようにＤＣＩ  ０およびＤＣＩ  １Ａは、同一サイズであり種別情報によって区別できるので、以下の説明では、ＤＣＩ  ０およびＤＣＩ  １ＡをＤＣＩ  ０／１Ａとまとめて表記する。
【０００９】
また、上記ＤＣＩフォーマット以外にも、下り回線において、非連続帯域割当を行うＤＣＩ  ｆｏｒｍａｔ１（以下、ＤＣＩ  １という）および空間多重ＭＩＭＯ送信を割り当てるＤＣＩ  ｆｏｒｍａｔ２および２Ａ（以下、ＤＣＩ  ２，２Ａという）等がある。ここで、ＤＣＩ  １，２，２Ａは、端末の下り送信モード（非連続帯域割当または空間多重ＭＩＭＯ送信）に依存して使用されるフォーマットであり、端末毎に設定されるフォーマットである。一方、ＤＣＩ  ０／１Ａは、送信モードに依存せず、いずれの送信モードの端末に対しても使用できるフォーマット、つまり、全端末に対して共通に使用されるフォーマットである。また、ＤＣＩ  ０／１Ａが用いられた場合には、デフォルトの送信モードとして１アンテナ送信または送信ダイバーシチが用いられる。
【００１０】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space）」という）を限定する。ここでは、各端末に割り当てられるＣＣＥ領域の単位（つまり、ブラインド復号する単位に相当）は、「下り制御情報割当領域候補（ＤＣＩ割当領域候補）」又は「復号対象単位領域候補」と呼ぶ。
【００１１】
ＬＴＥでは、サーチスペースは、端末毎にランダムに設定される。このサーチスペースを構成するＣＣＥ数は、ＰＤＣＣＨのＣＣＥ連結数毎に定義される。例えば、図２に示すように、サーチスペースの構成ＣＣＥの数は、ＰＤＣＣＨのＣＣＥ連結数１，２，４，８それぞれに対応して、６，１２，８，１６となる。この場合、復号対象単位領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる（図３参照）。すなわち、復号対象単位領域候補は、合計１６候補に限定される。これにより、各端末は、自端末に割り当てられたサーチスペース内の復号対象単位領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。
【００１２】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、共通領域（Common Search Space：Ｃ−ＳＳ）と呼ぶ）が用いられる。Ｃ−ＳＳには、復号対象単位領域候補が、ＣＣＥ連結数４および８それぞれに対して、４候補（４＝１６÷４），２候補（２＝１６÷８）の合計６候補だけ存在する（図３参照）。
【００１３】
また、端末は、ＵＥ−ＳＳでは、全端末に対して共通に使用されるＤＣＩフォーマット（ＤＣＩ  ０／１Ａ）、および、送信モードに依存したＤＣＩフォーマット（ＤＣＩ  １，２，２Ａから１つ）の２種類のサイズのＤＣＩフォーマットそれぞれについてブラインド復号を行う。例えば、端末は、２種類のサイズのＤＣＩフォーマットに対して、ＵＥ−ＳＳ内でそれぞれ上記１６回のブラインド復号を行う。どの２種類のサイズのＤＣＩフォーマットをブラインド復号するかは、基地局より通知される送信モードに依って決まる。また、端末は、Ｃ−ＳＳでは、通知された送信モードに依らず、共通チャネル割当用フォーマットであるＤＣＩ  ｆｏｒｍａｔ１Ｃ（以下、ＤＣＩ  １Ｃという）およびＤＣＩ  １Ａのそれぞれについて上記６回のブラインド復号（すなわち、合計１２回のブラインド復号）を行う。
【００１４】
ここで、共通チャネル割当に用いられるＤＣＩ  １Ａと端末個別のデータ割当に用いられるＤＣＩ  ０／１Ａとは同一サイズであり、端末ＩＤによりそれぞれが区別される。そのため、基地局は、端末のブラインド復号回数を増やすことなく、端末個別のデータ割当を行うＤＣＩ  ０／１ＡをＣ−ＳＳでも送信することができる。
【００１５】
また、ＬＴＥよりも更なる通信の高速化を実現する３ＧＰＰ  ＬＴＥ−Ａｄｖａｎｃｅｄ（以下、ＬＴＥ−Ａという）の標準化が開始されている。ＬＴＥ−Ａでは、最大１Ｇｂｐｓ以上の下り伝送速度および最大５００Ｍｂｐｓ以上の上り伝送速度を実現するために、４０ＭＨｚ以上の広帯域周波数で通信可能な基地局および端末（以下、ＬＴＥ−Ａ端末という）が導入される見込みである。また、ＬＴＥ−Ａシステムは、ＬＴＥ−Ａ端末のみでなく、ＬＴＥシステムに対応する端末（以下、ＬＴＥ端末という）を収容することが要求されている。
【００１６】
ＬＴＥ−Ａでは、上り回線の送信方法として、非連続帯域割当を用いた送信方法およびＭＩＭＯを用いた送信方法が新たに導入される。これに伴い、新たなＤＣＩフォーマット（例えば、ＤＣＩ  ｆｏｒａｍｔ０Ａ，０Ｂ（以下、ＤＣＩ  ０Ａ，０Ｂという））を定義することが検討されている（例えば、非特許文献４参照）。すなわち、ＤＣＩ  ０Ａ，０Ｂは、上り送信モードに依存するＤＣＩフォーマットである。
【００１７】
上述したように、ＬＴＥ−Ａにおいて、ＵＥ−ＳＳ内で下り送信モードに依存したＤＣＩフォーマット（ＤＣＩ  １，２，２Ａのいずれか）、上り送信モードに依存したＤＣＩフォーマット（ＤＣＩ  ０Ａ，０Ｂのいずれか）、および、送信モードに依らず全端末共通のＤＣＩフォーマット（ＤＣＩ  ０／１Ａ）を用いる場合、端末は、上記３種類のＤＣＩフォーマットのＤＣＩをブラインド復号（モニタ）する。例えば、上述したように、ＵＥ−ＳＳでは１種類のＤＣＩフォーマットあたり１６回のブラインド復号が必要であるため、ＵＥ−ＳＳ内でのブラインド復号回数は合計４８回（＝１６回×３種類）となる。よって、Ｃ−ＳＳ内での２種類のＤＣＩフォーマットに対するブラインド復号回数である１２回（＝６回×２種類）を加えると合計で６０回のブラインド復号が必要となる。
【００１８】
さらに、ＬＴＥ−Ａでは、カバレッジの拡大を達成するために、無線通信中継装置（以下、「中継局」又は「ＲＮ：Ｒｅｌａｙ  Ｎｏｄｅ」という）の導入も規定された（図４参照）。これに伴い、基地局から中継局への下り回線制御チャネル（以下、「Ｒ−ＰＤＣＣＨ」という）に関する標準化が進んでいる（例えば、非特許文献５，６，７，８参照）。現在の段階では、Ｒ−ＰＤＣＣＨに関して、以下の事項が検討されている。図５には、Ｒ−ＰＤＣＣＨ領域の一例が示されている。
（１）Ｒ−ＰＤＣＣＨの時間軸方向のマッピング開始位置は、１サブフレームの先頭から４番目のＯＦＤＭシンボルに固定される。これは、ＰＤＣＣＨが時間軸方向に占める割合に依存しない。
（２）Ｒ−ＰＤＣＣＨの周波数軸方向のマッピング方法としては、distributedとlocalizedの２つの配置方法がサポートされる。
（３）復調用の参照信号として、ＣＲＳ（Common Reference Signal）とＤＭ−ＲＳ（Demodulation Reference Signal）とがサポートされる。どちらの参照信号が使用されるかについては、基地局から中継局へ通知される
（４）各Ｒ−ＰＤＣＣＨは、１つまたは連続する複数のＲ−ＣＣＥ（Relay-Control Channel Element）で構成されるリソースを占有する。１つのＲ−ＣＣＥを構成するＲＥの数は、スロット毎、又は、参照信号の配置毎に異なる。具体的には、Ｒ−ＣＣＥは、スロット０では、時間方向では第３ＯＦＤＭシンボルからスロット０の終わりまでの範囲を持ち、且つ、周波数方向では１ＲＢ幅の範囲を持つリソース領域（ただし、参照信号がマッピングされている領域を除く）として規定される。また、スロット１では、時間方向ではスロット１のはじめからスロット１の終わりまでの範囲を持ち、且つ、周波数方向では１ＲＢ幅の範囲を持つリソース領域（ただし、参照信号がマッピングされている領域を除く）として規定される。ただし、スロット１では、上記したリソース領域を２つに分けて、それぞれを１つのＲ−ＣＣＥにする提案も為されている。
【先行技術文献】
【非特許文献】
【００１９】
【非特許文献１】3GPP TS 36.211 V9.1.0, “Physical Channels and Modulation (Release 9),” May 2010
【非特許文献２】3GPP TS 36.212 V9.2.0, “Multiplexing and channel coding (Release 9),” June 2010
【非特許文献３】3GPP TS 36.213 V9.2.0, “Physical layer procedures (Release 9),” June 2010
【非特許文献４】3GPP TSG RAN WG1 meeting, R1-092641, “PDCCH design for Carrier aggregation and Post Rel-8 feature,”June 2009
【非特許文献５】3GPP TSG RAN WG1 meeting, R1-102700, “Backhaul Control Channel Design in Downlink,” May 2010
【非特許文献６】3GPP TSG RAN WG1 meeting, R1-102881, “R-PDCCH placement,” May 2010
【非特許文献７】3GPP TSG RAN WG1 meeting, R1-103040, “R-PDCCH search space design” May 2010
【非特許文献８】3GPP TSG RAN WG1 meeting, R1-103062, “Supporting frequency diversity and frequency selective R-PDCCH transmissions” May 2010
【発明の概要】
【発明が解決しようとする課題】
【００２０】
ところで、基地局配下の端末に向けたＰＤＣＣＨがマッピングされるリソース領域（以下、「ＰＤＣＣＨ領域」という）のリソースが不足することも想定される。このリソース不足を解消する方法として、基地局配下の端末に向けたＤＣＩを、前述のＲ−ＰＤＣＣＨがマッピングされるリソース領域（以下、「Ｒ−ＰＤＣＣＨ領域」という）にも配置することが考えられる（図６参照）。
【００２１】
しかしながら、基地局接続された端末に向けたＤＣＩを送信する領域として、ＰＤＣＣＨ領域に、Ｒ−ＰＤＣＣＨ領域を単純に加えるだけでは、端末におけるブラインド復号回数が増加し、消費電力および処理遅延の増大、および、回路規模の増大が発生してしまうという課題が生じる。例えば、上述したサーチスペースの設定に従うと、１サブフレームにおいて、ＰＤＣＣＨ領域、スロット０のＲ−ＰＤＣＣＨ領域およびスロット１のＲ−ＰＤＣＣＨ領域の各々にサーチスペースが設定される。よって、各領域でのブラインド復号回数を前述の６０回とすると、端末は、サブフレームあたり、合計１８０（６０回×３領域）回のブラインド復号を行うことになってしまう。すなわち、ブラインド復号の回数が増大し、端末の構成が複雑化してしまう。
【００２２】
一方、１サブフレームにおける端末でのブラインド復号領域候補の総数（すなわち、ブラインド復号回数の総数）を、上記従来と同程度（例えば、６０回）として、ＰＤＣＣＨ領域及びＲ−ＰＤＣＣＨ領域（スロット０およびスロット１）の各々にサーチスペースを配分する設定方法が考えられる。しかしながら、この場合、ＰＤＣＣＨ領域、スロット０のＲ−ＰＤＣＣＨ領域およびスロット１のＲ−ＰＤＣＣＨ領域それぞれにおけるサーチスペースの大きさが１／３程度になってしまい、基地局は、特定の端末宛てのＤＣＩに対してＣＣＥを割り当てることができなくなる可能性（つまり、blocking probability）が高くなる。すなわち、リソースが有効利用できなくなることに起因する、システムスループット低下を招く可能性がある。従って、基地局配下の端末に向けた下り割当制御情報を中継局向けの下り割当制御情報に対して用意されたリソース領域を用いて効率よく送信する方法が望まれる。
【００２３】
本発明は、かかる点に鑑みてなされたものであり、下り割当制御情報を効率良く伝送することができる通信装置、送信方法及び集積回路を提供することを目的とする。
【課題を解決するための手段】
【００２４】
本発明の一態様の通信装置は、第１のサーチスペース設定ルールに基づいて第１のサーチスペースを設定し、又は、第２のサーチスペース設定ルールに基づいて第２のサーチスペースを設定する設定部と、前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きい、マッピング部と、前記マッピングされた下り制御情報を含む信号を送信する送信部と、を具備する構成を採る。
【００２５】
本発明の一態様の通信装置において、前記設定部は、下り制御チャネル（PDCCH）とは異なる拡張された下り制御チャネルを用いて、前記第１のサーチスペース又は前記第２のサーチスペースを設定する。
【００２６】
本発明の一態様の送信方法は、通信装置における送信方法であって、第１のサーチスペース設定ルールに基づいて第１のサーチスペースを設定し、又は、第２のサーチスペース設定ルールに基づいて第２のサーチスペースを設定し、前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きく、前記マッピングされた下り制御情報を含む信号を送信する。
【００２７】
本発明の一態様の集積回路は、第１のサーチスペース設定ルールに基づいて第１のサーチスペースを設定し、又は、第２のサーチスペース設定ルールに基づいて第２のサーチスペースを設定する処理と、前記第１のサーチスペースに含まれる複数の復号領域候補のいずれか又は前記第２のサーチスペースに含まれる複数の復号領域候補のいずれかに下り制御情報をマッピングし、各復号領域候補は１つのコントロールチャネルエレメント（CCE）又は連結された複数のCCEによって構成され、前記第１のサーチスペース設定ルールにおける前記CCEの連結数（aggregation level）と復号領域候補数との対応関係は、前記第２のサーチスペース設定ルールにおける前記CCEの連結数と復号領域候補数との対応関係とは異なり、前記第１のサーチスペース設定ルールにおいて一つのCCEを構成するリソースエレメント（RE）の数は、前記第２のサーチスペース設定ルールにおいて一つのCCEを構成するREの数よりも小さく、前記第１のサーチスペース設定ルールにおける前記復号領域候補数に対する前記連結数の加重平均値は、前記第２のサーチスペース設定ルールにおける前記復号領域候補数に対する前記連結数の加重平均値より大きい、処理と、前記マッピングされた下り制御情報を含む信号を送信する処理と、を制御する。
【発明の効果】
【００２８】
本発明によれば、下り割当制御情報を効率良く伝送することができる。
【図面の簡単な説明】
【００２９】
【図１】ＰＤＣＣＨ領域の一例を示す図
【図２】サーチスペースの説明に供する図
【図３】サーチスペースの説明に供する図
【図４】無線通信中継装置を含む通信システムの説明に供する図
【図５】Ｒ−ＰＤＣＣＨ領域の一例を示す図
【図６】ＰＤＣＣＨのマッピング例の説明に供する図
【図７】本発明の実施の形態１に係る基地局の主要構成図
【図８】本発明の実施の形態１に係る端末の主要構成図
【図９】本発明の実施の形態１に係る基地局の構成を示すブロック図
【図１０】本発明の実施の形態１に係る端末の構成を示すブロック図
【図１１】サーチスペース設定ルールのバリエーション１の説明に供する図
【図１２】必要十分なＲ−ＣＣＥ連結数の算出方法の説明に供する図
【図１３】１つのＲ−ＣＣＥを構成するＲＥの数の一例を示す図
【図１４】必要十分なＲＥ数とＲ−ＣＣＥ連結数との関係をスロット０とスロット１とで比較するための図
【図１５】サーチスペース設定ルールのバリエーション２の説明に供する図
【図１６】サーチスペース設定ルールのバリエーション３の説明に供する図
【図１７】サーチスペース設定ルールのバリエーション４の説明に供する図
【図１８】サーチスペース設定ルールのバリエーション５の説明に供する図
【図１９】サーチスペース設定ルールのバリエーション６の説明に供する図
【図２０】サーチスペース設定ルールのバリエーション７の説明に供する図
【発明を実施するための形態】
【００３０】
以下、本発明の実施の形態について図面を参照して詳細に説明する。なお、実施の形態において、同一の構成要素には同一の符号を付し、その説明は重複するので省略する。
【００３１】
［実施の形態１］
［システムの概要］
本発明の実施の形態１に係る通信システムは、基地局１００と端末２００とを有する。基地局１００は、ＬＴＥ−Ａ基地局であり、端末２００は、ＬＴＥ−Ａ端末である。
【００３２】
図７は、本発明の実施の形態１に係る基地局１００の主要構成図である。基地局１００において、サーチスペース設定部１０３は、端末２００において復号の対象となる複数の復号対象単位領域候補から構成されるサーチスペースを、サーチスペース設定ルールに基づいて、下り制御チャネル毎にスロット単位で設定する。そして、割当部１０８は、ＤＣＩを複数の復号対象単位領域候補の内のいずれかに配置する。こうして、復号対象単位領域候補内に配置されたＤＣＩは、端末２００へ送信される。
【００３３】
図８は、本発明の実施の形態１に係る端末２００の主要構成図である。端末２００において、ＰＤＣＣＨ受信部２０７は、サーチスペース設定ルールに基づいてサーチスペースを設定すると共に、サーチスペースを構成する複数の復号対象単位領域候補のそれぞれをブラインド復号し、ＰＤＳＣＨ受信部２０８は、複数の復号対象単位領域候補の内のいずれかに配置された自装置宛のＤＣＩに基づいて、下りデータ信号を受信する。
【００３４】
［基地局１００の構成］
図９は、本発明の実施の形態１に係る基地局１００の構成を示すブロック図である。図９において、基地局１００は、設定部１０１と、制御部１０２と、サーチスペース設定部１０３と、ＰＤＣＣＨ生成部１０４と、符号化・変調部１０５，１０６，１０７と、割当部１０８と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier transform）部１１８と、データ受信部１１９と、ＡＣＫ／ＮＡＣＫ受信部１２０とを有する。
【００３５】
設定部１０１は、端末２００向けのＤＣＩの送信に利用するリソース領域を設定すると共に、端末２００の上り回線および下り回線それぞれの送信モードを設定する。リソース領域の設定及び送信モードの設定は、設定対象の端末２００毎に行われる。リソース領域及び送信モードに関する設定情報は、制御部１０２、サーチスペース設定部１０３、ＰＤＣＣＨ生成部１０４および符号化・変調部１０６へ送出される。
【００３６】
具体的には、設定部１０１は、送信領域設定部１３１と、送信モード設定部１３２とを有する。
【００３７】
送信領域設定部１３１は、端末２００向けのＤＣＩの送信に利用するリソース領域を設定する。設定されるリソース領域の候補には、ＰＤＣＣＨ領域と、スロット０のＲ−ＰＤＣＣＨ領域と、スロット１のＲ−ＰＤＣＣＨ領域とが含まれる。例えば、通常時には、端末２００向けにＰＤＣＣＨ領域が設定され、基地局１００の配下で通信している端末２００の数が多いためＰＤＣＣＨ領域が逼迫する懸念が生じた場合、又はＰＤＣＣＨ領域での干渉が大きいと判断された場合等には、端末２００向けにスロット０のＲ−ＰＤＣＣＨ領域又はスロット１のＲ−ＰＤＣＣＨ領域が設定される。
【００３８】
送信モード設定部１３２は、端末２００の上り回線および下り回線それぞれの送信モード（例えば、空間多重ＭＩＭＯ送信、ビームフォーミング送信、非連続帯域割当等）を設定する。
【００３９】
なお、リソース領域及び送信モードに関する設定情報は、上位レイヤの制御情報（ＲＲＣ制御情報またはRRC signalingという）として、符号化・変調部１０６を介して各端末２００へ通知される。
【００４０】
制御部１０２は、ＭＣＳ情報、リソース（ＲＢ）割当情報、および、ＮＤＩ（New data indicator）等を含む割当制御情報を生成する。ここで、リソース割当情報として、端末２００の上り回線データを割り当てる上りリソース（例えば、ＰＵＳＣＨ（Physical Uplink Shared Channel））を示す上りリソース割当情報、又は、端末２００宛ての下り回線データを割り当てる下りリソース（例えば、ＰＤＳＣＨ（Physical Downlink Shared Channel））を示す下りリソース割当情報を生成する。
【００４１】
さらに、制御部１０２は、設定部１０１から受け取る設定情報に基づいて、端末２００の上り回線の送信モードに応じた割当制御情報（ＤＣＩ  ０Ａ，０Ｂのいずれか）、下り回線の送信モードに応じた割当制御情報（ＤＣＩ  １，１Ｂ，１Ｄ，２，２Ａのいずれか）、または、全端末共通の割当制御情報（ＤＣＩ  ０／１Ａ）を、端末２００毎に生成する。
【００４２】
例えば、通常のデータ送信時には、制御部１０２は、スループット向上のために、各端末２００に設定した送信モードでデータ伝送が行えるように、各端末２００の送信モードに応じた割当制御情報（ＤＣＩ  １，１Ｂ，１Ｄ，２，２Ａ，０Ａ，０Ｂのいずれか）を生成する。これにより、各端末２００に設定した送信モードでデータ伝送が行えるので、スループットを向上することができる。
【００４３】
しかし、急激な伝搬路状況の変化または隣接セルからの干渉の変化等によっては、各端末２００に設定した送信モードではデータの受信誤りが頻発する状況も起こり得る。この場合には、制御部１０２は、全端末に共通のフォーマット（ＤＣＩ  ０／１Ａ）で、割当制御情報を生成し、ロバスト（Robust）なデフォルト送信モードを用いてデータを送信する。これにより、急激に伝搬環境が変動した場合であってもよりロバストなデータ伝送が可能となる。
【００４４】
また、伝搬路状況が悪化した場合に送信モードの変更を通知するための上位レイヤの制御情報（RRC signaling）の送信時にも、制御部１０２は、全端末共通の割当制御情報（ＤＣＩ  ０／１Ａ）を生成し、デフォルト送信モードを用いて情報を送信する。ここで、全端末共通のＤＣＩ  ０／１Ａの情報ビット数は、送信モードに依存するＤＣＩ  １，２，２Ａ，０Ａ，０Ｂの情報ビット数よりも少ない。このため、同じＣＣＥ数が設定された場合、ＤＣＩ  ０／１Ａの方が、ＤＣＩ  １，２，２Ａ，０Ａ，０Ｂよりも、低い符号化率で送信することができる。よって、伝搬路状況が悪化した場合に制御部１０２がＤＣＩ  ０／１Ａを用いることにより、伝搬路状況が劣悪な端末でも良好な誤り率で割当制御情報（および、データ）を受信することができる。
【００４５】
また、制御部１０２は、端末個別のデータ割当向けの割当制御情報の他に、報知情報およびＰａｇｉｎｇ情報等の複数の端末共通のデータ割当のための、共通チャネル向け割当制御情報（例えば、ＤＣＩ  １Ｃ，１Ａ）を生成する。
【００４６】
そして、制御部１０２は、生成した端末個別のデータ割当向けの割当制御情報のうち、ＭＣＳ情報およびＮＤＩをＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４７】
サーチスペース設定部１０３は、設定部１０１から受け取る設定情報の示す設定リソース領域に対応するサーチスペース設定ルールに基づいて、サーチスペースを設定する。各サーチスペース設定ルールは、サーチスペース設定部１０３の備えるメモリに、テーブルとして保持されている。サーチスペースには、上述の通り、共通サーチスペース（Ｃ−ＳＳ）および個別サーチスペース（ＵＥ−ＳＳ）が含まれる。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００４８】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００４９】
一方、サーチスペース設定部１０３は、各端末に対してＵＥ−ＳＳを設定する。サーチスペース設定部１０３は、例えば、或る端末のＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから、算出する。
【００５０】
ここで、サーチスペース設定部１０３は、設定部１０１によって設定されたリソース領域がＰＤＣＣＨ領域である場合には、例えば、図２のようにサーチスペースを設定する。すなわち、図２に示すサーチスペースの、ＣＣＥ連結数に対するＤＣＩ割当領域候補の数に関するパターンが、設定部１０１によって設定されたリソース領域がＰＤＣＣＨ領域である場合の、サーチスペース設定ルールとなる。
【００５１】
図２では、ＰＤＣＣＨのＣＣＥ連結数４に対して、４つのＤＣＩ割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのＤＣＩ割当領域候補（つまり、ＣＣＥ０〜７，ＣＣＥ８〜１５）が、Ｃ−ＳＳとして設定されている。すなわち、図２では、合計６つのＤＣＩ割当領域候補が、Ｃ−ＳＳとして設定されている。
【００５２】
また、図２では、ＣＣＥ連結数１に対して、６つのＤＣＩ割当領域候補（つまり、ＣＣＥ１６〜２１のそれぞれ）が、ＵＥ−ＳＳとして設定されている。また、ＣＣＥ連結数２に対して、６つのＤＣＩ割当領域候補（つまり、ＣＣＥ６〜１７を２つずつ分割したもの）が、ＵＥ−ＳＳとして設定されている。また、ＣＣＥ連結数４に対して、２つのＤＣＩ割当領域候補（つまり、ＣＣＥ２０〜２３，ＣＣＥ２４〜２７）が、ＵＥ−ＳＳとして設定されている。また、ＣＣＥ連結数８に対して、２つのＤＣＩ割当領域候補（つまり、ＣＣＥ１６〜２３，ＣＣＥ２４〜３１）が、ＵＥ−ＳＳとして設定されている。すなわち、図２では、合計１６個のＤＣＩ割当領域候補が、ＵＥ−ＳＳとして設定されている。
【００５３】
また、設定部１０１によって設定されたリソース領域がスロット０のＲ−ＰＤＣＣＨ領域又はスロット１のＲ−ＰＤＣＣＨ領域の場合にも、それぞれに対応するサーチスペース設定ルールによって、サーチスペースが設定される。スロット０のＲ−ＰＤＣＣＨ領域のサーチスペース設定ルール、及び、スロット１のＲ−ＰＤＣＣＨ領域のサーチスペース設定ルールに関しては、後に詳しく説明する。
【００５４】
ＰＤＣＣＨ生成部１０４は、制御部１０２から受け取る、端末個別のデータ割当向けの割当制御情報（つまり、端末毎の上りリソース割当情報、下りリソース割当情報、ＭＣＳ情報およびＮＤＩ等）を含むＤＣＩ、または、共通チャネル向け割当制御情報（つまり、端末共通の報知情報およびＰａｇｉｎｇ情報等）を含むＤＣＩを生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後の信号を、符号化・変調部１０５に出力する。
【００５５】
符号化・変調部１０５は、ＰＤＣＣＨ生成部１０４から受け取るＤＣＩをチャネル符号化後に変調して、変調後の信号を割当部１０８に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（つまり、チャネル品質が悪い端末ほど）、より低い符号化率を設定する。
【００５６】
割当部１０８は、符号化・変調部１０５から受け取る、共通チャネル向け割当制御情報を含むＤＣＩ、および、各端末に対する端末個別のデータ割当向けの割当制御情報を含むＤＣＩを、サーチスペース設定部１０３から受け取るサーチスペース情報が示す、Ｃ−ＳＳ内のＣＣＥまたはＲ−ＣＣＥ、もしくは、端末毎のＵＥ−ＳＳ内のＣＣＥまたはＲ−ＣＣＥに、それぞれ割り当てる。
【００５７】
例えば、割当部１０８は、Ｃ−ＳＳ（例えば、図２）内のＤＣＩ割当領域候補群の中から１つのＤＣＩ割当領域候補を選択する。そして、割当部１０８は、共通チャネル向け割当制御情報を含むＤＣＩを、選択したＤＣＩ割当領域候補内のＣＣＥ（または、Ｒ−ＣＣＥ。以下、ＣＣＥとＲ−ＣＣＥを区別せず、単にＣＣＥと呼ぶことがある）に割り当てる。
【００５８】
また、割当部１０８は、その端末向けのＤＣＩフォーマット（例えば、ＤＣＩ  １，１Ｂ，１Ｄ，２，２Ａ，０Ａ，０Ｂ）の場合には、その端末に設定されたＵＥ−ＳＳ内のＣＣＥをＤＣＩに対して割り当てる。一方、その端末向けのＤＣＩフォーマットが、全端末共通のフォーマット（例えば、ＤＣＩ  ０／１Ａ）の場合には、Ｃ−ＳＳ内のＣＣＥまたはその端末に設定されたＵＥ−ＳＳ内のＣＣＥをＤＣＩに対して割り当てる。
【００５９】
ここで、１つのＤＣＩに割り当てられるＣＣＥの連結数は、符号化率およびＤＣＩのビット数（つまり、割当制御情報の情報量）によって異なる。例えば、セル境界付近に位置する端末宛てのＤＣＩの符号化率は低く設定されるので、より多くの物理リソースが必要である。従って、割当部１０８は、セル境界付近に位置する端末宛てのＤＣＩに対して、より多くのＣＣＥを割り当てる。
【００６０】
そして、割当部１０８は、ＤＣＩに割り当てたＣＣＥに関する情報を多重部１０９およびＡＣＫ／ＮＡＣＫ受信部１２０に出力する。また、割当部１０８は、符号化・変調後のＤＣＩを多重部１０９に出力する。
【００６１】
符号化・変調部１０６は、設定部１０１から受け取る設定情報をチャネル符号化後に変調して、変調後の設定情報を多重部１０９に出力する。
【００６２】
符号化・変調部１０７は、入力される送信データ（下り回線データ）をチャネル符号化後に変調して、変調後の送信データ信号を多重部１０９に出力する。
【００６３】
多重部１０９は、割当部１０８から受け取る符号化・変調後のＤＣＩ信号、符号化・変調部１０６から受け取る設定情報、および符号化・変調部１０７から入力されるデータ信号（つまり、ＰＤＳＣＨ信号）を時間軸上および周波数軸上で多重する。ここで、多重部１０９は、制御部１０２から受け取る下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６４】
ＩＦＦＴ部１１０は、多重部１０９からのアンテナ毎の多重信号を時間波形に変換し、ＣＰ付加部１１１は、この時間波形にＣＰを付加することによりＯＦＤＭ信号を得る。
【００６５】
送信ＲＦ部１１２は、ＣＰ付加部１１１から入力されるＯＦＤＭ信号に対して送信無線処理（アップコンバート、ディジタルアナログ（Ｄ／Ａ）変換など）を施し、アンテナ１１３を介して送信する。
【００６６】
一方、受信ＲＦ部１１４は、アンテナ１１３を介して受信帯域で受信した受信無線信号に対して受信無線処理（ダウンコンバート、アナログディジタル（Ａ／Ｄ）変換など）を施し、得られた受信信号をＣＰ除去部１１５に出力する。
【００６７】
ＣＰ除去部１１５は、受信信号からＣＰを除去し、ＦＦＴ（Fast Fourier Transform）部１１６は、ＣＰ除去後の受信信号を周波数領域信号に変換する。
【００６８】
抽出部１１７は、制御部１０２から受け取る上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００６９】
データ受信部１１９は、ＩＤＦＴ部１１８から入力される時間領域信号を復号する。そして、データ受信部１１９は、復号後の上り回線データを受信データとして出力する。
【００７０】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を抽出する。具体的には、ＡＣＫ／ＮＡＣＫ受信部１２０は、そのＡＣＫ／ＮＡＣＫ信号を、割当部１０８から受け取る情報に基づいて、上り回線制御チャネル（例えば、ＰＵＣＣＨ（Physical Uplink Control Channel））から抽出する。また、その上り回線制御チャネルは、その下り回線データに対応する下り割当制御情報の送信に用いられたＣＣＥに対応付けられた上り回線制御チャネルである。
【００７１】
そして、ＡＣＫ／ＮＡＣＫ受信部１２０は、抽出したＡＣＫ／ＮＡＣＫ信号のＡＣＫ／ＮＡＣＫ判定を行う。
【００７２】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への下り割当制御情報（ＤＣＩ）がマッピングされているＣＣＥに基づいて、ＡＣＫ／ＮＡＣＫ信号の送信に用いるＰＵＣＣＨを判定している。
【００７３】
［端末２００の構成］
図１０は、本発明の実施の形態１に係る端末２００の構成を示すブロック図である。ここでは、端末２００は、ＬＴＥ−Ａ端末であり、複数の下り単位キャリアを使用してデータ信号（下り回線データ）を受信し、そのデータ信号に対するＡＣＫ／ＮＡＣＫ信号を１つの上り単位キャリアのＰＵＣＣＨを用いて基地局１００へ送信する。
【００７４】
図１０において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００７５】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＤＣＩ、および、設定情報を含む上位レイヤの制御情報が含まれている可能性がある。また、ＤＣＩ（割当制御情報）は、端末２００および他の端末に対して設定された共通のサーチスペース（Ｃ−ＳＳ）、または、端末２００に対して設定された個別のサーチスペース（ＵＥ−ＳＳ）に割り当てられている。
【００７６】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００７７】
分離部２０５は、ＦＦＴ部２０４から受け取る信号のうち、ＤＣＩを含む可能性のある成分（すなわち、ＰＤＣＣＨ領域およびＲ−ＰＤＣＣＨ領域から抜き出された信号）を、ＰＤＣＣＨ受信部２０７に出力する。また、分離部２０５は設定情報を含む上位レイヤの制御信号（例えば、RRC signaling等）を設定情報受信部２０６に出力し、データ信号（つまり、ＰＤＳＣＨ信号）をＰＤＳＣＨ受信部２０８に出力する。なお、設定情報を含む上位レイヤの制御信号がＰＤＳＣＨを通して送信される場合には、分離部２０５は、ＰＤＳＣＨ受信部２０８で受信した後の信号から、設定情報を抽出する。
【００７８】
設定情報受信部２０６は、分離部２０５から受け取る上位レイヤの制御信号から、次の情報を読み取る。すなわち、この読み取られる情報は、自端末に設定された上り単位キャリアおよび下り単位キャリアを示す情報、自端末に設定された端末ＩＤを示す情報、自端末に設定された、ＤＣＩの送信に利用するリソース領域を示す情報、自端末に設定された参照信号を示す情報、及び自端末に設定された送信モードを示す情報である。
【００７９】
そして、自端末に設定された上り単位キャリアおよび下り単位キャリアを示す情報は、帯域情報としてＰＤＣＣＨ受信部２０７、受信ＲＦ部２０２および送信ＲＦ部２１５に出力される。また、自端末に設定された端末ＩＤを示す情報は、端末ＩＤ情報としてＰＤＣＣＨ受信部２０７に出力される。また、ＤＣＩの送信に利用するリソース領域を示す情報は、サーチスペース領域情報としてＰＤＣＣＨ受信部２０７に出力される。また、自端末に設定された参照信号を示す情報は、参照信号情報としてＰＤＣＣＨ受信部２０７に出力される。また、自端末に設定された送信モードを示す情報は、送信モード情報としてＰＤＣＣＨ受信部２０７に出力される。
【００８０】
ＰＤＣＣＨ受信部２０７は、分離部２０５から入力される信号をブラインド復号（モニタ）して、自端末宛てのＤＣＩを得る。このブラインド復号処理は、自端末に対して設定されたリソース領域に対応するサーチスペース設定ルールに規定されている復号対象単位領域候補に対して行われる。各サーチスペース設定ルールは、ＰＤＣＣＨ受信部２０７の備えるメモリに、テーブルとして保持されている。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＤＣＩが得られる。
【００８１】
ここで、ＰＤＣＣＨ受信部２０７は、設定情報受信部２０６から受け取るサーチスペース領域情報の示す領域がＰＤＣＣＨ領域である場合には、リソース領域がＰＤＣＣＨ領域であるときのサーチスペース設定ルールに基づいて、Ｃ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各復号対象単位領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。復号後の信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となった信号を、共通チャネル向けの割当制御情報が含まれるＤＣＩであると判定する。また、ＰＤＣＣＨ受信部２０７は、復号後の信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となった信号を、自端末向けの割当制御情報が含まれるＤＣＩであると判定する。すなわち、ＰＤＣＣＨ受信部２０７は、Ｃ−ＳＳでは、ＤＣＩ  ０／１Ａの割当制御情報が共通チャネル向けであるか又は自端末向けのデータ割当向けであるかを、端末ＩＤ（複数の端末の間で共通のＩＤ、または、端末２００の端末ＩＤ）によって区別する。
【００８２】
ＰＤＣＣＨ受信部２０７は、設定情報受信部２０６から受け取る端末ＩＤ情報の示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。そして、ＰＤＣＣＨ受信部２０７は、復号後の信号に対して、自端末の端末ＩＤでＣＲＣビットをデマスキングする。そして、ＰＤＣＣＨ受信部２０７は、デマスキングの結果、ＣＲＣ＝ＯＫ（誤り無し）となった信号を、自端末宛てのＤＣＩであると判定する。
【００８３】
ＰＤＣＣＨ受信部２０７は、設定情報受信部２０６から受け取るサーチスペース領域情報の示す領域がスロット０のＲ−ＰＤＣＣＨ領域又はスロット１のＲ−ＰＤＣＣＨ領域の場合にも、それぞれに対応するサーチスペース設定ルールに基づいて、ブラインド復号を行う。スロット０のＲ−ＰＤＣＣＨ領域のサーチスペース設定ルール、及び、スロット１のＲ−ＰＤＣＣＨ領域のサーチスペース設定ルールに関しては、後に詳しく説明する。なお、設定情報受信部２０６から入力されるサーチスペース領域情報（サーチスペースの配分）がない場合（基地局１００がサーチスペース領域情報を送信しない場合）には、端末２００は、サーチスペースの配分を意識せずにブラインド復号を行っても良い。
【００８４】
そして、ＰＤＣＣＨ受信部２０７は、下り割当制御情報を受信した場合には自端末宛てのＤＣＩに含まれる下りリソース割当情報をＰＤＳＣＨ受信部２０８に出力し、上り割当制御情報を受信した場合には上りリソース割当情報をマッピング部２１２に出力する。また、ＰＤＣＣＨ受信部２０７は、自端末宛てのＤＣＩの送信に用いられたＣＣＥ（ＣＲＣ＝ＯＫとなった信号の送信に用いられていたＣＣＥ）のＣＣＥ番号（ＣＣＥ連結数が複数の場合は先頭のＣＣＥのＣＣＥ番号）をマッピング部２１２に出力する。なお、ＰＤＣＣＨ受信部におけるブラインド復号（モニタ）処理の詳細については後述する。
【００８５】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８６】
変調部２０９は、ＰＤＳＣＨ受信部２０８から受け取るＡＣＫ／ＮＡＣＫ信号を変調し、変調後のＡＣＫ／ＮＡＣＫ信号をマッピング部２１２に出力する。
【００８７】
変調部２１０は、送信データ（上り回線データ）を変調し、変調後のデータ信号をＤＦＴ部２１１に出力する。
【００８８】
ＤＦＴ部２１１は、変調部２１０から受け取るデータ信号を周波数領域に変換し、得られる複数の周波数成分をマッピング部２１２に出力する。
【００８９】
マッピング部２１２は、ＰＤＣＣＨ受信部２０７から受け取る上りリソース割当情報に従って、ＤＦＴ部２１１から受け取る複数の周波数成分を、上り単位キャリアに配置されたＰＵＳＣＨにマッピングする。また、マッピング部２１２は、ＰＤＣＣＨ受信部２０７から受け取るＣＣＥ番号に従ってＰＵＣＣＨを特定する。そして、マッピング部２１２は、変調部２０９から入力されるＡＣＫ／ＮＡＣＫ信号を、上記特定したＰＵＣＣＨにマッピングする。
【００９０】
ＩＦＦＴ部２１３は、ＰＵＳＣＨにマッピングされた複数の周波数成分を時間領域波形に変換し、ＣＰ付加部２１４は、その時間領域波形にＣＰを付加する。
【００９１】
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰが付加された信号に送信無線処理（アップコンバート、ディジタルアナログ（Ｄ／Ａ）変換など）を施して、アンテナ２０１を介して送信する。
【００９２】
［基地局１００及び端末２００の動作］
基地局１００において、設定部１０１は、端末２００向けのＤＣＩの送信に利用するリソース領域を設定する。設定されるリソース領域の候補には、ＰＤＣＣＨ領域と、スロット０のＲ−ＰＤＣＣＨ領域と、スロット１のＲ−ＰＤＣＣＨ領域とが含まれる。
【００９３】
サーチスペース設定部１０３は、設定部１０１から受け取る設定情報の示す設定リソース領域に対応するサーチスペース設定ルールに基づいて、サーチスペースを設定する。リソース領域がスロット０のＲ−ＰＤＣＣＨ領域である場合に用いられる「第１のサーチスペース設定ルール」と、リソース領域がスロット１のＲ−ＰＤＣＣＨ領域である場合に用いられる「第２のサーチスペース設定ルール」とでは、ＣＣＥ連結数に対する復号対象単位領域候補の数に関するパターンが互いに異なっている。すなわち、スロット０のＲ−ＰＤＣＣＨ領域と、スロット１のＲ−ＰＤＣＣＨ領域とでは、ＣＣＥ連結数に対する復号対象単位領域候補の数に関するパターンが独立に規定される。
【００９４】
以下で「第１のサーチスペース設定ルール」及び「第２のサーチスペース設定ルール」のバリエーションについて説明する。
【００９５】
＜サーチスペース設定ルールのバリエーション１＞
図１１は、サーチスペース設定ルールのバリエーション１の説明に供する図である。図１１に示すように、第１のサーチスペース設定ルールのパターンは、ＣＣＥ連結数１，２，４，８に対して、復号対象単位領域候補数０，６，４，２というパターンである。一方、第２のサーチスペース設定ルールのパターンは、ＣＣＥ連結数１，２，４，８に対して、復号対象単位領域候補数６，４，２，０というパターンである。
【００９６】
ここで、基地局１００は、図１２に示すように、端末２００に送信したいＤＣＩビット数を、実際の通信品質（例えば、ＳＩＮＲ＝*ｄＢ）に基づいて、所望の通信品質（例えば、ＬＴＥでは、ＰＤＣＣＨの場合、ＢＬＥＲ＝１％以下が規定されている）を必要十分に満足するように、必要十分なＭＣＳ（つまり、必要十分な符号化率）を決定する。そして、基地局１００は、ＤＣＩビット数と、必要十分な符号化率とから、必要十分なＲＥ数を算出し、スロット毎又は参照信号の配置毎に異なる１Ｒ−ＣＣＥ当りのＲＥ数から、必要十分なＲ−ＣＣＥ連結数を算出する。なお、Ｒ−ＰＤＣＣＨの変調方式はＱＰＳＫである。
【００９７】
また、図１３に示すように、１つのＲ−ＣＣＥを構成するＲＥの数は、スロット０とスロット１とで異なっている。図１３中で※１が付されたものは、3GPP TS36.211 V9.1.0に対応し、※２が付されたものは、3GPP TS36.814 V9.0.0に対応する。すなわち、スロット０のＲ−ＰＤＣＣＨのＲ−ＣＣＥを構成するＲＥの数は、スロット１のＲ−ＰＤＣＣＨのＲ−ＣＣＥを構成するＲＥの数よりも小さい。
【００９８】
従って、図１４に示すように、必要十分なＲＥ数を得るためには、１Ｒ−ＣＣＥ当りのＲＥ数が小さいスロット０では、１Ｒ−ＣＣＥ当りのＲＥ数が大きいスロット１に比べて、Ｒ−ＣＣＥ連結数を相対的に大きくする必要がある。
【００９９】
この要求は、上記したサーチスペース設定ルールのバリエーション１によって満たされている。すなわち、サーチスペース設定ルールのバリエーション１では、１Ｒ−ＣＣＥ当りのＲＥ数に応じて、第１のサーチスペース設定ルール及び第２のサーチスペース設定ルールのパターンが決められている。そして、第１のサーチスペース設定ルールのパターンは、第２のサーチスペース設定ルールのパターンと比べると、サーチスペースに含まれる復号対象単位領域候補群のＲ−ＣＣＥ連結数に対する分布のピーク位置（つまり、重心）がＲ−ＣＣＥ連結数の大きい方に存在している。
【０１００】
「第１のサーチスペース設定ルールのパターンの、復号対象単位領域候補群のＲ−ＣＣＥ連結数に対する分布のピーク位置が、第２のサーチスペース設定ルールのパターンよりも、ＣＣＥ連結数が大きい方にシフトしている」ことは、以下に示す事項を意味する。
【０１０１】
〈事項１〉Ｒ−ＣＣＥ連結数毎のＲＥ数の、ブラインド復号回数に対する加重平均は、第２のサーチスペース設定ルールよりも、第１のサーチスペース設定ルールの方が大きいことを意味する。Ｒ−ＣＣＥ連結数毎のＲＥ数の、ブラインド復号回数（つまり、復号対象単位領域候補数）に対する加重平均は、次の式（１）によって表される。
【数１】
2015149748.tif 000003
【０１０２】
また、式（１）は、式（２）のように変形することができる。
【数２】
2015149748.tif 000004
【０１０３】
従って、Ｒ−ＣＣＥ連結数毎のＲＥ数の、ブラインド復号回数に対する加重平均は、１Ｒ−ＣＣＥ当りのＲＥ数と、Ｒ−ＣＣＥ連結数のブラインド復号回数に対する加重平均の積、と言い換えることもできる。
【０１０４】
〈事項２〉第１のサーチスペース設定ルールにおいて復号対象単位領域候補数が最も多くなるＲ−ＣＣＥ連結数が、第２のサーチスペース設定ルールよりも大きくなることを意味する。復号対象単位領域候補数が最も多いＲ−ＣＣＥ連結数が複数ある場合には、第１のサーチスペース設定ルールにおいて復号対象単位領域候補数が最も多くなるＲ−ＣＣＥ連結数の平均値が、第２のサーチスペース設定ルールよりも大きいことを意味する。
【０１０５】
〈事項３〉第１のサーチスペース設定ルールにおける、Ｒ−ＣＣＥ連結数のブラインド復号回数に対する加重平均が、第２のサーチスペース設定ルールよりも大きくなることを意味する。
【０１０６】
〈事項４〉第１のサーチスペース設定ルールにおける、Ｒ−ＣＣＥ連結数のインデックスの、ブラインド復号回数に対する加重平均が、第２のサーチスペース設定ルールよりも大きくなることを意味する。なお、Ｒ−ＣＣＥ連結数のインデックスは、Ｒ−ＣＣＥ連結数の小さい順に、０，１，２，３とナンバリングしたものである。Ｒ−ＣＣＥ連結数＝１，２，４，８に対して、Ｒ−ＣＣＥ連結数のインデックス＝０，１，２，３と定義する。
【０１０７】
また、１Ｒ−ＣＣＥ当りのＲＥ数が、スロット０で４４個、スロット１で７２と仮定すると、上記した〈事項１〉〜〈事項４〉が満たされるか否かは、具体的には、次のように確かめられる。
【０１０８】
〈事項１〉
Ｒ−ＣＣＥ連結数毎のＲＥ数の、ブラインド復号回数に対する加重平均は、第１のサーチスペース設定ルールでは、（４４×０＋８８×６＋１７６×４＋３５２×２）／（０＋６＋４＋２）≒１６１となり、第２のサーチスペース設定ルールでは、（７２×６＋１４４×４＋２８８×２＋５７６×０）／（６＋４＋２＋０）＝１３２となる。従って、“第１のサーチスペース設定ルール＞第２のサーチスペース設定ルール”の関係が満たされる。
【０１０９】
〈事項２〉
ブラインド復号回数が最も多くなるＲ−ＣＣＥ連結数が、第１のサーチスペース設定ルールでは２、第２のサーチスペース設定ルールでは１となる。従って、“第１のサーチスペース設定ルール＞第２のサーチスペース設定ルール”の関係が満たされる。
【０１１０】
〈事項３〉
Ｒ−ＣＣＥ連結数の、ブラインド復号回数に対する加重平均が、第１のサーチスペース設定ルールでは、（１×０＋２×６＋４×４＋８×２）／（０＋６＋４＋２）≒３．６７、第２のサーチスペース設定ルールでは、（１×６＋２×４＋４×２＋８×０）／（６＋４＋２＋０）≒１．８３となる。従って、“第１のサーチスペース設定ルール＞第２のサーチスペース設定ルール”の関係が満たされる。
【０１１１】
〈事項４〉
Ｒ−ＣＣＥ連結数のインデックスの、ブラインド復号回数に対する加重平均が、第１のサーチスペース設定ルールでは、（０×０＋１×６＋２×４＋３×２）／（０＋６＋４＋２）≒１．６７、第２のサーチスペース設定ルールでは、（０×６＋１×４＋２×２＋３×０）／（６＋４＋２＋０）≒０．６７となる。従って、“第１のサーチスペース設定ルール＞第２のサーチスペース設定ルール”の関係が満たされる。
【０１１２】
ここで、ＰＤＣＣＨ領域をＲ−ＰＤＣＣＨ領域にも拡張する場合、単純に拡張するだけでは、端末２００のブラインド復号回数が増加し、結果として、端末２００の回路規模が増大してしまう。すなわち、ＬＴＥで規定されているサーチスペースが、ＰＤＣＣＨ領域、スロット０のＲ−ＰＤＣＣＨ領域、及び、スロット１のＲ−ＰＤＣＣＨ領域の各々に設定される場合には、端末２００のブラインド復号回数は、最大で、１８０回（＝６０（ＰＤＣＣＨ領域）＋６０（スロット０のＲ−ＰＤＣＣＨ領域）＋６０（スロット１のＲ−ＰＤＣＣＨ領域））にもなってしまう。
【０１１３】
一方で、単純に復号対象単位領域候補数を削減した場合には、他の端末や中継局で全て使われている可能性が高くなり、blocking probabilityが高くなってしまう。
【０１１４】
これに対して、バリエーション１のサーチスペース設定ルールを用いることにより、所望の通信品質を満たすために過不足のない数のＲＥ群を用いた効率の良いＤＣＩの送信が可能となり、結果として、blocking probabilityが高くなることも防止することができる。この効果は、以下で説明する全てのバリエーションに共通する。
【０１１５】
さらに、サーチスペース設定ルールのバリエーション１で挙げた例では、ＬＴＥのサーチスペースと比べて、復号対象単位領域候補数が削減されている。これにより、端末２００の回路規模の増大を防止することができる。すなわち、以下で説明する各バリエーションにおいても、ＬＴＥのサーチスペースと比べて復号対象単位領域候補数を削減することにより、同様の効果が得られる。
【０１１６】
＜サーチスペース設定ルールのバリエーション２＞
図１５は、サーチスペース設定ルールのバリエーション２の説明に供する図である。図１５に示すように、第１のサーチスペース設定ルールのパターンは、ＣＣＥ連結数１，２，４，８に対して、復号対象単位領域候補数６，６，２，２というパターンである。すなわち、ここでは、一例として、ＰＤＣＣＨ領域において用いられるサーチスペース設定ルールと同じパターンが採用されている。一方、第２のサーチスペース設定ルールのパターンは、ＣＣＥ連結数１，２，４，８に対して、復号対象単位領域候補数６，２，２，２（又は０）というパターンである。
【０１１７】
図１３において、スロット１を中心に考えると、スロット１の１Ｒ−ＣＣＥ当りのＲＥ数は、スロット０の１Ｒ−ＣＣＥ当りのＲＥ数の約２倍である。そこで、バリエーション２では、第２のサーチスペース設定ルールのパターンは、第１のサーチスペース設定ルールのパターンをＲ−ＣＣＥ連結数がより小さい方に単純にシフトさせることにより、形成されている。このとき、第２のサーチスペース設定ルールのＲ−ＣＣＥ連結数＝８に対する復号対象単位領域候補数は、シフト前における最も少ない復号対象単位領域候補数（＝２）であっても良いし、復号対象単位領域候補を割り当てない（つまり、復号対象単位領域候補数＝０）であっても良い。
【０１１８】
＜サーチスペース設定ルールのバリエーション３＞
図１６は、サーチスペース設定ルールのバリエーション３の説明に供する図である。図１６に示すように、第１のサーチスペース設定ルールのパターンは、ＣＣＥ連結数１，２，４，８に対して、復号対象単位領域候補数６，６，２，２というパターンである。すなわち、ここでは、一例として、ＰＤＣＣＨ領域において用いられるサーチスペース設定ルールと同じパターンが採用されている。一方、第２のサーチスペース設定ルールのパターンは、ＣＣＥ連結数１，２，４，８に対して、復号対象単位領域候補数８，３，３，２というパターンである。
【０１１９】
すなわち、バリエーション３における第２のサーチスペース設定ルールのパターンは、バリエーション２における第１のサーチスペース設定ルールと第２のサーチスペース設定ルールとを比べて復号対象単位領域候補の数が減った分（つまり、４個）を、バリエーション２における第２のサーチスペース設定ルールのパターンに対して割り振ることにより、形成される。つまり、図１６では、復号対象単位領域候補の最も多いＲ−ＣＣＥ連結数に対して重みを与えるために、ＣＣＥ連結数１，２，４，８に対して、＋２，＋１，＋１，＋０の割り振りパターンによって、復号対象単位領域候補数の減った分が割り振られている。
【０１２０】
なお、例えば、均等に割り振りするならば、Ｒ−ＣＣＥ連結数＝１，２，４，８に対して、順に＋１，＋１，＋１，＋１の割り振りパターンによって、復号対象単位領域候補数の減った分が割り振られても良い。又は、重みの与え方を変えて、例えば、＋４，＋０，＋０，＋０の割り振りパターンによって、復号対象単位領域候補数の減った分が割り振られても良い。
【０１２１】
＜サーチスペース設定ルールのバリエーション４＞
図１７は、サーチスペース設定ルールのバリエーション４の説明に供する図である。図１７に示すように、第１のサーチスペース設定ルールのパターンは、ＣＣＥ連結数１，２，４，８に対して、復号対象単位領域候補数２（又は０），６，６，２というパターンである。一方、第２のサーチスペース設定ルールのパターンは、ＣＣＥ連結数１，２，４，８に対して、復号対象単位領域候補数６，６，２，２というパターンである。すなわち、ここでは、一例として、ＰＤＣＣＨ領域において用いられるサーチスペース設定ルールと同じパターンが採用されている。
【０１２２】
図１３において、スロット０を中心に考えると、スロット０の１Ｒ−ＣＣＥ当りのＲＥ数は、スロット１の１Ｒ−ＣＣＥ当りのＲＥ数の約１／２倍である。そこで、バリエーション４では、第１のサーチスペース設定ルールのパターンは、第２のサーチスペース設定ルールのパターンをＲ−ＣＣＥ連結数がより大きい方に単純にシフトさせることにより、形成されている。このとき、第１のサーチスペース設定ルールのＲ−ＣＣＥ連結数＝１に対する復号対象単位領域候補数は、シフト前における最も少ない復号対象単位領域候補数（＝２）であっても良いし、復号対象単位領域候補を割り当てない（つまり、復号対象単位領域候補数＝０）であっても良い。
【０１２３】
＜サーチスペース設定ルールのバリエーション５＞
図１８は、サーチスペース設定ルールのバリエーション５の説明に供する図である。図１８に示すように、第１のサーチスペース設定ルールのパターンは、ＣＣＥ連結数１，２，４，８に対して、復号対象単位領域候補数０，７，７，２というパターンである。一方、第２のサーチスペース設定ルールのパターンは、ＣＣＥ連結数１，２，４，８に対して、復号対象単位領域候補数６，６，２，２というパターンである。すなわち、ここでは、一例として、ＰＤＣＣＨ領域において用いられるサーチスペース設定ルールと同じパターンが採用されている。
【０１２４】
すなわち、バリエーション５における第１のサーチスペース設定ルールのパターンは、バリエーション４における第１のサーチスペース設定ルールと第２のサーチスペース設定ルールとを比べて復号対象単位領域候補の数が減った分（つまり、２個）を、バリエーション４における第１のサーチスペース設定ルールのパターンに対して割り振ることにより、形成される。つまり、図１８では、復号対象単位領域候補の最も多いＲ−ＣＣＥ連結数に対して重みを与えるために、ＣＣＥ連結数１，２，４，８に対して、＋０，＋１，＋１，＋０の割り振りパターンによって、復号対象単位領域候補数の減った分が割り振られている。
【０１２５】
割当部１０８は、ＤＣＩをサーチスペース設定部１０３から受け取るサーチスペース情報が示す復号対象単位領域候補に割り当てる。こうして、ＤＣＩが、端末２００へ送信される。
【０１２６】
端末２００では、ＰＤＣＣＨ受信部２０７は、設定情報受信部２０６から受け取るサーチスペース領域情報の示す領域がスロット０のＲ−ＰＤＣＣＨ領域又はスロット１のＲ−ＰＤＣＣＨ領域の場合に、それぞれに対応するサーチスペース設定ルールに基づいて、ブラインド復号を行う。このサーチスペース設定ルールは、上記した基地局１００において用いられたサーチスペース設定ルールに一致する。
【０１２７】
以上のように本実施の形態によれば、基地局１００において、サーチスペース設定部１０３が、設定対象であるスロットのＲ−ＰＤＣＣＨ領域に応じたサーチスペース設定ルールに基づいてサーチスペースを設定し、割当部１０８が、設定されたサーチスペースに含まれる複数の復号対象単位領域候補の内のいずれかにＤＣＩを配置する。サーチスペースは、端末２００において復号の対象となる複数の復号対象単位領域候補から構成され、各復号対象単位領域候補は、１つ又は複数のＲ−ＣＣＥ（制御チャネル要素）が連結されることによって構成される。
【０１２８】
そして、サーチスペース設定ルールでは、ＣＣＥについての複数の連結数のそれぞれに対する復号対象単位領域候補の数が対応付けられ、スロット０の第１のサーチスペース設定ルールとスロット１の第２のサーチスペース設定ルールとでは、Ｒ−ＣＣＥについての複数の連結数に対する復号対象単位領域候補の数に関するパターンが互いに異なる。すなわち、スロット０のＲ−ＰＤＣＣＨ領域と、スロット１のＲ−ＰＤＣＣＨ領域とでは、Ｒ−ＣＣＥ連結数に対する復号対象単位領域候補の数に関するパターンが独立に規定される。
【０１２９】
こうすることで、基地局１００の配下の端末２００に向けたＤＣＩを中継局向けのＤＣＩに対して用意されたＲ−ＰＤＣＣＨ領域を用いて効率よく送信することができる。
【０１３０】
第１のサーチスペース設定ルールでは、第２のサーチスペース設定ルールのパターンと比べて、復号対象単位領域候補のＲ−ＣＣＥ連結数に対する分布のピーク位置がＲ−ＣＣＥ連結数の大きい方に存在する。
【０１３１】
こうすることで、所望の通信品質を満たすために過不足のない数のＲＥ群を用いた効率の良いＤＣＩの送信が可能となり、結果として、blocking probabilityが高くなることも防止することができる。
【０１３２】
また、端末２００において、ＰＤＣＣＨ受信部２０７が、サーチスペース設定ルールに基づいてサーチスペースを設定すると共に、サーチスペースを構成する複数の復号対象単位領域候補のそれぞれをブラインド復号する。各復号対象単位領域候補は、１つ又は複数のＲ−ＣＣＥ（制御チャネル要素）が連結されることによって構成される。
【０１３３】
そして、サーチスペース設定ルールでは、ＣＣＥについての複数の連結数のそれぞれに対する復号対象単位領域候補の数が対応付けられ、スロット０の第１のサーチスペース設定ルールとスロット１の第２のサーチスペース設定ルールとでは、Ｒ−ＣＣＥについての複数の連結数に対する復号対象単位領域候補の数に関するパターンが互いに異なる。すなわち、スロット０のＲ−ＰＤＣＣＨ領域と、スロット１のＲ−ＰＤＣＣＨ領域とでは、Ｒ−ＣＣＥ連結数に対する復号対象単位領域候補の数に関するパターンが独立に規定される。
【０１３４】
こうすることで、基地局１００の配下の端末２００に向けたＤＣＩを中継局向けのＤＣＩに対して用意されたＲ−ＰＤＣＣＨ領域を用いて効率よく受信することができる。
【０１３５】
なお、上記の説明では、１Ｒ−ＣＣＥ当りのＲＥ数が、“スロット０＜スロット１”の関係にあるとしたが、例えば、スロット１で１ＲＢ幅のＲ−ＰＤＣＣＨ領域を２分割した場合には、“スロット０＞スロット１”の関係にもなりうる。従って、“スロット０＞スロット１”の場合には、上記の説明におけるスロット０とスロット１とを入れ替えれば良い。要は、第１のスロットと第２のスロットとにおけるサーチスペース設定ルールに関する実施の形態であり、第１のスロット及び第２のスロットがどのスロットであるかについては特に限定されるものではない。
【０１３６】
［実施の形態２］
実施の形態２は、サーチスペース設定ルールの他のバリエーションに関する。実施の形態２に係る基地局及び端末の基本構成は、実施の形態１と共通するので、図９、１０を援用して説明する。
【０１３７】
実施の形態２の基地局１００において、設定部１０１は、端末２００向けのＤＣＩの送信に利用するリソース領域を設定する。設定されるリソース領域の候補には、ＰＤＣＣＨ領域と、スロット０のＲ−ＰＤＣＣＨ領域と、スロット１のＲ−ＰＤＣＣＨ領域とが含まれる。
【０１３８】
サーチスペース設定部１０３は、設定部１０１から受け取る設定情報の示す設定リソース領域に対応するサーチスペース設定ルールに基づいて、サーチスペースを設定する。リソース領域がスロット０のＲ−ＰＤＣＣＨ領域である場合に用いられるサーチスペース設定ルールと、リソース領域がスロット１のＲ−ＰＤＣＣＨ領域である場合に用いられるサーチスペース設定ルールとでは、スロット０とスロット１とに適用される「符号化率」が異なる場合に、ＣＣＥ連結数に対する復号対象単位領域候補の数に関するパターンが互いに異なっている。すなわち、スロット０のＲ−ＰＤＣＣＨ領域と、スロット１のＲ−ＰＤＣＣＨ領域とでは、ＣＣＥ連結数に対する復号対象単位領域候補の数に関するパターンが、スロット毎の「符号化率」に基づいて独立に規定される。なお、実施の形態２以降で記載される「符号化率」とは、スロット０とスロット１とで同じＲ−ＣＣＥ連結数（例えば、１Ｒ−ＣＣＥ当たり）に対するＲＥ数から算出される符号化率を意味する。
【０１３９】
ここでは、符号化率の低いスロット及び符号化率の高いスロットにて用いられるサーチスペース設定ルールを、それぞれ「第１のサーチスペース設定ルール」及び「第２のサーチスペース設定ルール」と呼ぶ。
【０１４０】
以下で「第１のサーチスペース設定ルール」及び「第２のサーチスペース設定ルール」のバリエーションについて説明する。
【０１４１】
＜サーチスペース設定ルールのバリエーション６＞
図１９は、サーチスペース設定ルールのバリエーション６の説明に供する図である。図１９に示すように、符号化率がスロット１よりもスロット０の方が高い場合、第１のサーチスペース設定ルールのパターンは、ＣＣＥ連結数１，２，４，８に対して、復号対象単位領域候補数８，２，２，０というパターンである。一方、第２のサーチスペース設定ルールのパターンは、ＣＣＥ連結数１，２，４，８に対して、復号対象単位領域候補数０，６，４，２というパターンである。
【０１４２】
ここで、必要十分なＲＥ数を得るためには、必要十分な符号化率が高い（つまり、冗長度が低い）場合には、Ｒ−ＣＣＥ連結数を大きくする必要がある一方、必要十分な符号化率が低い（つまり、冗長度が高い）場合には、Ｒ−ＣＣＥ連結数を小さくする必要がある。
【０１４３】
この要求は、上記したサーチスペース設定ルールのバリエーション６によって満たされている。すなわち、サーチスペース設定ルールのバリエーション６では、符号化率に応じて、第１のサーチスペース設定ルール及び第２のサーチスペース設定ルールのパターンが決められている。そして、第１のサーチスペース設定ルールのパターンは、第２のサーチスペース設定ルールのパターンと比べると、サーチスペースに含まれる復号対象単位領域候補群のＲ−ＣＣＥ連結数に対する分布のピーク位置がＲ−ＣＣＥ連結数の小さい方に存在している。
【０１４４】
「第１のサーチスペース設定ルールのパターンの、復号対象単位領域候補群のＲ−ＣＣＥ連結数に対する分布のピーク位置が、第２のサーチスペース設定ルールのパターンよりも、ＣＣＥ連結数が小さい方にシフトしている」ことは、以下に示す事項を意味する。
【０１４５】
〈事項１〉第２のサーチスペース設定ルールにおける符号化率の逆数（つまり、冗長度）のブラインド復号回数に対する加重平均が、第１のサーチスペース設定ルールよりも大きくなることを意味する。符号化率の逆数（つまり、冗長度）のブラインド復号回数（つまり、復号対象単位領域候補数）に対する加重平均は、次の式（３）によって表される。
【数３】
2015149748.tif 000005
【０１４６】
また、式（３）は、式（４）のように変形することができる。
【数４】
2015149748.tif 000006
【０１４７】
従って、符号化率の逆数のブラインド復号回数に対する加重平均は、１Ｒ−ＣＣＥ当りの符号化率の逆数と、Ｒ−ＣＣＥ連結数のブラインド復号回数に対する加重平均の積、と言い換えることもできる。
【０１４８】
〈事項２〉第１のサーチスペース設定ルールにおいて復号対象単位領域候補数が最も多くなるＲ−ＣＣＥ連結数が、第２のサーチスペース設定ルールよりも小さくなることを意味する。復号対象単位領域候補数が最も多いＲ−ＣＣＥ連結数が複数ある場合には、第１のサーチスペース設定ルールにおいて復号対象単位領域候補数が最も多くなるＲ−ＣＣＥ連結数の平均値が、第２のサーチスペース設定ルールよりも小さいことを意味する。
【０１４９】
〈事項３〉第１のサーチスペース設定ルールにおける、Ｒ−ＣＣＥ連結数のブラインド復号回数に対する加重平均が、第２のサーチスペース設定ルールよりも小さくなることを意味する。
【０１５０】
〈事項４〉第１のサーチスペース設定ルールにおける、Ｒ−ＣＣＥ連結数のインデックスの、ブラインド復号回数に対する加重平均が、第２のサーチスペース設定ルールよりも小さくなることを意味する。なお、Ｒ−ＣＣＥ連結数のインデックスは、Ｒ−ＣＣＥ連結数の小さい順に、０，１，２，３とナンバリングしたものである。Ｒ−ＣＣＥ連結数＝１，２，４，８に対して、Ｒ−ＣＣＥ連結数のインデックス＝０，１，２，３と定義する。
【０１５１】
また、１Ｒ−ＣＣＥ当りのＲＥ数が、スロット０で４４個、スロット１で７２であり、ＤＣＩビット数が、スロット０で５６ビット、スロット１で４２ビットであり、変調多値数がＱＰＳＫであると仮定すると、上記した〈事項１〉〜〈事項４〉が満たされるか否かは、具体的には、次のように確かめられる。
【０１５２】
〈事項１〉
符号化率の逆数のブラインド復号回数に対する加重平均は、スロット０では、（（（５６／（４４×２））＾（−１））×０＋（（５６／（８８×２））＾（−１））×６＋（（５６／（１７６×２））＾（−１））×４＋（（５６／（３５２×２））＾（−１））×２）／（０＋６＋４＋２）≒５．７６となり、スロット１では、（（（４２／（７２×２））＾（−１））×８＋（（４２／（１４４×２））＾（−１））×２＋（（４２／（２８８×２））＾（−１））×２＋（（４２／（５７６×２））＾（−１））×０）／（８＋２＋２＋０）≒５．７１となる。従って、“第１のサーチスペース設定ルール＜第２のサーチスペース設定ルール”の関係が満たされる。
【０１５３】
〈事項２〉
ブラインド復号回数が最も多くなるＲ−ＣＣＥ連結数が、第２のサーチスペース設定ルールでは２、第１のサーチスペース設定ルールでは１となる。従って、“第１のサーチスペース設定ルール＜第２のサーチスペース設定ルール”の関係が満たされる。
【０１５４】
〈事項３〉
Ｒ−ＣＣＥ連結数のブラインド復号回数に対する加重平均が、第２のサーチスペース設定ルールでは、（１×０＋２×６＋４×４＋８×２）／（０＋６＋４＋２）≒３．６７となり、第１のサーチスペース設定ルールでは、（１×８＋２×２＋４×２＋８×０）／（８＋２＋２＋０）≒１．６７となる。従って、“第１のサーチスペース設定ルール＜第２のサーチスペース設定ルール”の関係が満たされる。
【０１５５】
〈事項４〉
Ｒ−ＣＣＥ連結数のインデックスの、ブラインド復号回数に対する加重平均が、第２のサーチスペース設定ルールでは、（０×０＋１×６＋２×４＋３×２）／（０＋６＋４＋２）≒１．６７となり、第１のサーチスペース設定ルールでは、（０×８＋１×２＋２×２＋３×０）／（８＋２＋２＋０）＝０．５０となる。従って、“第１のサーチスペース設定ルール＜第２のサーチスペース設定ルール”の関係が満たされる。
【０１５６】
割当部１０８は、ＤＣＩをサーチスペース設定部１０３から受け取るサーチスペース情報が示す復号対象単位領域候補に割り当てる。こうして、ＤＣＩが、端末２００へ送信される。
【０１５７】
端末２００では、ＰＤＣＣＨ受信部２０７は、設定情報受信部２０６から受け取るサーチスペース領域情報の示す領域がスロット０のＲ−ＰＤＣＣＨ領域又はスロット１のＲ−ＰＤＣＣＨ領域の場合に、それぞれに対応するサーチスペース設定ルールに基づいて、ブラインド復号を行う。このサーチスペース設定ルールは、上記した基地局１００において用いられたサーチスペース設定ルールに一致する。
【０１５８】
以上のように本実施の形態によれば、基地局１００において、サーチスペース設定部１０３が、設定対象であるスロットのＲ−ＰＤＣＣＨ領域に応じたサーチスペース設定ルールに基づいてサーチスペースを設定する。
【０１５９】
そして、スロット０で設定される符号化率よりもスロット１で設定される符号化率の方が大きい場合、スロット０で用いられる第１のサーチスペース設定ルールでは、スロット１で用いられる第２のサーチスペース設定ルールのパターンと比べて、復号対象単位領域候補のＲ−ＣＣＥ連結数に対する分布のピーク位置がＲ−ＣＣＥ連結数の小さい方に存在する。
【０１６０】
こうすることで、所望の通信品質を満たすために過不足のない数のＲＥ群を用いた効率の良いＤＣＩの送信が可能となり、結果として、blocking probabilityが高くなることも防止することができる。
【０１６１】
なお、上記の説明では、符号化率が、“スロット０＞スロット１”の関係にあるとしたが、例えば、スロット１で１ＲＢ幅のＲ−ＰＤＣＣＨ領域を２分割した場合、又は、スロット０のＤＣＩビット数がスロット１のそれよりも小さくなる場合（例えばスロット０にＤＣＩフォーマット１Ｃが割り当てられ、２８ビットになる場合）には、“スロット０＜スロット１”の関係にもなりうる。従って、“スロット０＜スロット１”の場合には、上記の説明におけるスロット０とスロット１とを入れ替えれば良い。要は、第１のスロットと第２のスロットとにおけるサーチスペース設定ルールに関する実施の形態であり、第１のスロット及び第２のスロットがどのスロットであるかについては特に限定されるものではない。
【０１６２】
［実施の形態３］
実施の形態３では、スロット毎のＲ−ＰＤＣＣＨ領域に割り当てることができるＤＣＩビット数が、複数種類規定されている。実施の形態３に係る基地局及び端末の基本構成は、実施の形態１と共通するので、図９、１０を援用して説明する。
【０１６３】
実施の形態３の基地局１００において、設定部１０１は、端末２００向けのＤＣＩの送信に利用するリソース領域を設定する。設定されるリソース領域の候補には、ＰＤＣＣＨ領域と、スロット０のＲ−ＰＤＣＣＨ領域と、スロット１のＲ−ＰＤＣＣＨ領域とが含まれる。
【０１６４】
サーチスペース設定部１０３は、設定部１０１から受け取る設定情報の示す設定リソース領域に対応するサーチスペース設定ルールに基づいて、サーチスペースを設定する。リソース領域がスロット０のＲ−ＰＤＣＣＨ領域である場合に用いられるサーチスペース設定ルールと、リソース領域がスロット１のＲ−ＰＤＣＣＨ領域である場合に用いられるサーチスペース設定ルールとでは、ＣＣＥ連結数に対する復号対象単位領域候補の数に関するパターンが、「符号化率が取りうる下限値から上限値の範囲に存在する、いずれか１つの値」に基づいて、互いに異なっている。すなわち、スロット０のＲ−ＰＤＣＣＨ領域と、スロット１のＲ−ＰＤＣＣＨ領域とでは、ＣＣＥ連結数に対する復号対象単位領域候補の数に関するパターンが、「符号化率が取りうる下限値から上限値の範囲に存在する、いずれか１つの値」に基づいて独立に規定される。「符号化率が取りうる下限値から上限値の範囲に存在する、いずれか１つの値」とは、例えば、符号化率の平均である。以下では、説明を簡単にするために、符号化率の平均を用いて説明する。
【０１６５】
ここでは、符号化率の平均の低いスロット及び符号化率の平均の高いスロットにて用いられるサーチスペース設定ルールを、それぞれ「第１のサーチスペース設定ルール」及び「第２のサーチスペース設定ルール」と呼ぶ。また、符号化率の平均とは、ＤＣＩビット数が複数種類規定されている場合の当該複数種類の符号化率の平均である。また、規定されているＤＣＩビット数とは、Ｒ−ＰＤＣＣＨ領域に割り当てることができるＤＣＩビット数の全種類のことであって、各Ｒ−ＰＤＣＣＨ領域に実際に割り当てられるＤＣＩビット数のことではない。従って、例えば、スロット０で、ＤＣＩビット数として４２ビットと５６ビットとを割り当てることができる場合、実際にＲ−ＰＤＣＣＨ領域に割り当てられるＤＣＩビット数が４２ビットだけであっても、符号化率の平均の計算には４２ビット及び５６ビットの両方を用いる。
【０１６６】
以下で「第１のサーチスペース設定ルール」及び「第２のサーチスペース設定ルール」のバリエーションについて説明する。
【０１６７】
＜サーチスペース設定ルールのバリエーション７＞
図２０は、サーチスペース設定ルールのバリエーション７の説明に供する図である。図２０に示すように、符号化率の平均がスロット１よりもスロット０の方が高い場合、第１のサーチスペース設定ルールのパターンは、ＣＣＥ連結数１，２，４，８に対して、復号対象単位領域候補数８，２，２，０というパターンである。一方、第２のサーチスペース設定ルールのパターンは、ＣＣＥ連結数１，２，４，８に対して、復号対象単位領域候補数１，６，３，２というパターンである。
【０１６８】
すなわち、サーチスペース設定ルールのバリエーション７では、符号化率の平均値に応じて、第１のサーチスペース設定ルール及び第２のサーチスペース設定ルールのパターンが決められている。そして、第１のサーチスペース設定ルールのパターンは、第２のサーチスペース設定ルールのパターンと比べると、サーチスペースに含まれる復号対象単位領域候補群のＲ−ＣＣＥ連結数に対する分布のピーク位置がＲ−ＣＣＥ連結数の小さい方に存在している。
【０１６９】
「第１のサーチスペース設定ルールのパターンの、復号対象単位領域候補群のＲ−ＣＣＥ連結数に対する分布のピーク位置が、第２のサーチスペース設定ルールのパターンよりも、ＣＣＥ連結数が小さい方にシフトしている」ことは、以下に示す事項を意味する。
【０１７０】
〈事項１〉第２のサーチスペース設定ルールにおける符号化率の平均の逆数（つまり、冗長度）のブラインド復号回数に対する加重平均が、第１のサーチスペース設定ルールよりも大きくなることを意味する。符号化率の平均の逆数（つまり、冗長度）のブラインド復号回数（つまり、復号対象単位領域候補数）に対する加重平均は、次の式（５）によって表される。
【数５】
2015149748.tif 000007
【０１７１】
また、式（５）は、式（６）のように変形することができる。
【数６】
2015149748.tif 000008
【０１７２】
従って、符号化率の平均の逆数（冗長度）の、ブラインド復号回数に対する加重平均は、１Ｒ−ＣＣＥ当りの符号化率の平均の逆数と、Ｒ−ＣＣＥ連結数のブラインド復号回数に対する加重平均の積、と言い換えることもできる。
【０１７３】
〈事項２〉第１のサーチスペース設定ルールにおいて復号対象単位領域候補数が最も多くなるＲ−ＣＣＥ連結数が、第２のサーチスペース設定ルールよりも小さくなることを意味する。復号対象単位領域候補数が最も多いＲ−ＣＣＥ連結数が複数ある場合には、第１のサーチスペース設定ルールにおいて復号対象単位領域候補数が最も多くなるＲ−ＣＣＥ連結数の平均値が、第２のサーチスペース設定ルールよりも小さいことを意味する。
【０１７４】
〈事項３〉第１のサーチスペース設定ルールにおける、Ｒ−ＣＣＥ連結数のブラインド復号回数に対する加重平均が、第２のサーチスペース設定ルールよりも小さくなることを意味する。
【０１７５】
〈事項４〉第１のサーチスペース設定ルールにおける、Ｒ−ＣＣＥ連結数のインデックスの、ブラインド復号回数に対する加重平均が、第２のサーチスペース設定ルールよりも小さくなることを意味する。なお、Ｒ−ＣＣＥ連結数のインデックスは、Ｒ−ＣＣＥ連結数の小さい順に、０，１，２，３とナンバリングしたものである。Ｒ−ＣＣＥ連結数＝１，２，４，８に対して、Ｒ−ＣＣＥ連結数のインデックス＝０，１，２，３と定義する。
【０１７６】
また、１Ｒ−ＣＣＥ当りのＲＥ数が、スロット０で４４個、スロット１で７２であり、ＤＣＩビット数が、スロット０で４２ビットと５６ビット、スロット１で４２ビットであり、変調多値数がＱＰＳＫであると仮定すると、上記した〈事項１〉〜〈事項４〉が満たされるか否かは、具体的には、次のように確かめられる。
【０１７７】
〈事項１〉
符号化率の平均の逆数の、ブラインド復号回数に対する加重平均は、スロット０では、（（（（４２＋５６）／２／（４４×２））＾（−１））×１＋（（（４２＋５６）／２／（８８×２））＾（−１））×６＋（（（４２＋５６）／２／（１７６×２））＾（−１））×３＋（（（４２＋５６）／２／（３５２×２））＾（−１））×２）／（１＋６＋３＋２）≒６．１４となり、スロット１では、（（（４２／（７２×２））＾（−１））×８＋（（４２／（１４４×２））＾（−１））×２＋（（４２／（２８８×２））＾（−１））×２＋（（４２／（５７６×２））＾（−１））×０）／（８＋２＋２＋０）≒５．７１となる。従って、“第１のサーチスペース設定ルール＜第２のサーチスペース設定ルール”の関係が満たされる。
【０１７８】
〈事項２〉
ブラインド復号回数が最も多くなるＲ−ＣＣＥ連結数が、第２のサーチスペース設定ルールでは２、第１のサーチスペース設定ルールでは１となる。従って、“第１のサーチスペース設定ルール＜第２のサーチスペース設定ルール”の関係が満たされる。
【０１７９】
〈事項３〉
Ｒ−ＣＣＥ連結数の、ブラインド復号回数に対する加重平均が、第２のサーチスペース設定ルールでは、（１×１＋２×６＋４×３＋８×２）／（１＋６＋３＋２）≒３．４２となり、第１のサーチスペース設定ルールでは、（１×８＋２×２＋４×２＋８×０）／（８＋２＋２＋０）≒１．６７となる。従って、“第１のサーチスペース設定ルール＜第２のサーチスペース設定ルール”の関係が満たされる。
【０１８０】
〈事項４〉
Ｒ−ＣＣＥ連結数のインデックスの、ブラインド復号回数に対する加重平均が、第２のサーチスペース設定ルールでは、（０×１＋１×６＋２×３＋３×２）／（１＋６＋３＋２）＝１．５０となり、第１のサーチスペース設定ルールでは、（０×８＋１×２＋２×２＋３×０）／（８＋２＋２＋０）＝０．５０となる。従って、“第１のサーチスペース設定ルール＜第２のサーチスペース設定ルール”の関係が満たされる。
【０１８１】
割当部１０８は、ＤＣＩをサーチスペース設定部１０３から受け取るサーチスペース情報が示す復号対象単位領域候補に割り当てる。こうして、ＤＣＩが、端末２００へ送信される。
【０１８２】
端末２００では、ＰＤＣＣＨ受信部２０７は、設定情報受信部２０６から受け取るサーチスペース領域情報の示す領域がスロット０のＲ−ＰＤＣＣＨ領域又はスロット１のＲ−ＰＤＣＣＨ領域の場合に、それぞれに対応するサーチスペース設定ルールに基づいて、ブラインド復号を行う。このサーチスペース設定ルールは、上記した基地局１００において用いられたサーチスペース設定ルールに一致する。
【０１８３】
以上のように本実施の形態によれば、基地局１００において、サーチスペース設定部１０３が、設定対象であるスロットのＲ−ＰＤＣＣＨ領域に応じたサーチスペース設定ルールに基づいてサーチスペースを設定する。
【０１８４】
そして、スロット０で設定される平均の符号化率よりもスロット１で設定される平均の符号化率の方が大きい場合、スロット０で用いられる第１のサーチスペース設定ルールでは、スロット１で用いられる第２のサーチスペース設定ルールのパターンと比べて、復号対象単位領域候補のＲ−ＣＣＥ連結数に対する分布のピーク位置がＲ−ＣＣＥ連結数の小さい方に存在する。
【０１８５】
こうすることで、所望の通信品質を満たすために過不足のない数のＲＥ群を用いた効率の良いＤＣＩの送信が可能となり、結果として、blocking probabilityが高くなることも防止することができる。
【０１８６】
なお、上記の説明では、符号化率が、“スロット０＞スロット１”の関係にあるとしたが、例えば、スロット１で１ＲＢ幅のＲ−ＰＤＣＣＨ領域を２分割した場合、又は、スロット０のＤＣＩビット数がスロット１のそれよりも小さくなる場合（例えばスロット０にＤＣＩフォーマット１Ｃが割り当てられ、２８ビットになる場合）には、“スロット０＜スロット１”の関係にもなりうる。従って、“スロット０＜スロット１”の場合には、上記の説明におけるスロット０とスロット１とを入れ替えれば良い。要は、第１のスロットと第２のスロットとにおけるサーチスペース設定ルールに関する実施の形態であり、第１のスロット及び第２のスロットがどのスロットであるかについては特に限定されるものではない。
【０１８７】
また、上記の説明では、符号化率の「平均」としたが、平均化される複数の符号化率の下限値から上限値までの範囲をとっても良い。具体的には、１Ｒ−ＣＣＥ当りのＲＥ数は、スロット０で４４個、スロット１で７２と仮定する。ＤＣＩビット数は、スロット０で４２ビットと５６ビット、スロット１で４２ビットと仮定する。変調多値数は共にＱＰＳＫ（２）と仮定する。このとき、スロット０の符号化率の下限値は、４２／（４４×２）≒０．４８、スロット０の符号化率の上限値は、５６／（４４×２）≒０．６３４となる。スロット１の符号化率の下限値と上限値は等しく、４２／（７２×２）≒０．２９となる。
【０１８８】
［他の実施の形態］
（１）上記実施の形態で説明したサーチスペース設定ルールのバリエーション１〜７では、第１のサーチスペース設定ルール及び第２のサーチスペース設定ルールの両方ともに、サーチスペースに含まれる復号対象単位領域候補群のＲ−ＣＣＥ連結数に対する分布のピーク位置が、Ｒ−ＣＣＥ連結数の中心よりも小さい側又は大きい側のいずれかに存在している例を挙げた。しかしながら、本発明はこれに限定されるものではなく、第１のサーチスペース設定ルール及び第２のサーチスペース設定ルールの一方のピーク位置が小さい側に存在し、他方のピーク位置が大きい側に存在していても良い。こうして、第１のスロットと第２のスロットとでピーク位置の大きく異なるサーチスペース設定ルールを用いることにより、伝搬環境が変動する場合でも、基地局は、柔軟にＤＣＩを割り当てることができる。
【０１８９】
（２）上記各実施の形態では、同一サブフレーム内のスロット０及びスロット１のＲ−ＰＤＣＣＨ領域について説明したが、本発明はこれに限定されるものではなく、時間方向に、最小でも１スロット分ずれている、複数のＲ−ＰＤＣＣＨ領域に対しても適用できる。また、周波数方向に、最小でも１ＲＢずれている、複数のＲ−ＰＤＣＣＨ領域に対しても適用できる。時間方向及び周波数方向に、最小でも１スロット及び最小でも１ＲＢずれている、複数のＲ−ＰＤＣＣＨ領域に対しても適用できる。
【０１９０】
（３）上記各実施の形態では、Ｒ−ＰＤＣＣＨの変調方式は、ＱＰＳＫとして説明したが、本発明はこれに限定されるものではなく、Ｒ−ＰＤＣＣＨの変調方式がＱＰＳＫ以外の場合でも適用できる。
【０１９１】
（４）上記各実施の形態ではアンテナとして説明したが、本発明はアンテナポート（antenna port）でも同様に適用できる。
【０１９２】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１９３】
例えば3GPP LTEにおいては、アンテナポートが何本の物理アンテナから構成されるかは規定されず、基地局が異なる参照信号（Reference signal）を送信できる最小単位として規定されている。
【０１９４】
また、アンテナポートはプリコーディングベクトル（Precoding vector）の重み付けを乗算する最小単位として規定されることもある。
【０１９５】
（５）上記各実施の形態では、本発明をハードウェアで構成する場合を例にとって説明したが、本発明はハードウェアとの連携においてソフトウェアでも実現することも可能である。
【０１９６】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１９８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１９９】
２０１０年７月２１日出願の特願２０１０−１６４３０９の日本出願に含まれる明細書、図面および要約書の開示内容は、すべて本願に援用される。
【産業上の利用可能性】
【０２００】
本発明は、下り割当制御情報を効率良く伝送することができるものとして有用である。
【符号の説明】
【０２０１】
１００  基地局
１０１  設定部
１０２  制御部
１０３  サーチスペース設定部
１０４  ＰＤＣＣＨ生成部
１０５，１０６，１０７  符号化・変調部
１０８  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
１３１  送信領域設定部
１３２  送信モード設定部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
2015149748.tif 000009
【図２】
2015149748.tif 000010
【図３】
2015149748.tif 000011
【図４】
2015149748.tif 000012
【図５】
2015149748.tif 000013
【図６】
2015149748.tif 000014
【図７】
2015149748.tif 000015
【図８】
2015149748.tif 000016
【図９】
2015149748.tif 000017
【図１０】
2015149748.tif 000018
【図１１】
2015149748.tif 000019
【図１２】
2015149748.tif 000020
【図１３】
2015149748.tif 000021
【図１４】
2015149748.tif 000022
【図１５】
2015149748.tif 000023
【図１６】
2015149748.tif 000024
【図１７】
2015149748.tif 000025
【図１８】
2015149748.tif 000026
【図１９】
2015149748.tif 000027
【図２０】
2015149748.tif 000028